(57)【特許請求の範囲】
【請求項１】
車体に設けられる取付板に、枢着軸を介して脚部材が設けられ、
脚部材は枢着軸を中心に起立位置と跳ね上げ位置との間を回動自在であり、
脚部材を起立位置において固定するロック板が支軸を介して脚部材に設けられ、
ロック板は、支軸を中心に、下部が前方へ傾斜する前傾姿勢のロック位置と、後方へ傾斜する後傾姿勢のロック解除位置との間を回動自在であり、
引張りばねの一端が取付板に取付けられているとともに他端がロック板に取付けられた自転車用のスタンドであって、
ロック板に、ロック解除用の踏みペダルが設けられ、
踏みペダルに、ロック位置に切換えられた前傾姿勢のロック板よりも上を向く踏み面と、脚部材に対して当接離間自在な押し部材とが設けられ、
踏み面の左右幅がロック板の下端部の幅よりも大きく形成され、
起立位置の脚部材のロック板がロック位置からロック解除位置へ一方向に回動する際、踏みペダルの押し部材が脚部材に当接して脚部材を起立位置から跳ね上げ位置に回動する方向へ押すように構成されていることを特徴とする自転車用のスタンド。
【請求項２】
脚部材が跳ね上げ位置から起立位置に回動した際、ロック板をロック位置に切換えるオートロック機構が備えられていることを特徴とする請求項１に記載の自転車用のスタンド。
【請求項３】
脚部材は、左右一対のサイドフレームと、これら両サイドフレームの遊端部間に連設された連設フレームとで、Ｕ形状に形成され、
起立位置の脚部材は、少なくともいずれか一方のサイドフレームの下端部に、連設フレームの端部から前方へ屈曲した屈曲部と、屈曲部の前端から上向きに立ち上がった立ち上がり部とを有し、
立ち上がり部は連設フレームの端部よりも前方に位置し、
連設フレームの端部から立ち上がり部までの間を靴先に対する逃げスペースとしていることを特徴とする請求項１又は請求項２に記載の自転車用のスタンド。
【発明の詳細な説明】
【技術分野】
【０００１】
本発明は、自転車に備えられるスタンドに関する。
【背景技術】
【０００２】
従来、自転車用のスタンドとしては、例えば図１７に示すように、車体フレーム７１の後部にスタンド７２の取付板７３が取付けられ、取付板７３には、枢着軸７４を介して脚部材７５が設けられている。脚部材７５は、枢着軸７４を中心に起立位置Ａと跳ね上げ位置Ｂとの間を回動自在であり、左右一対のサイドフレーム７５ａ，７５ｂと、これら両サイドフレーム７５ａ，７５ｂの遊端部間に連設された連設フレーム７５ｃとで、Ｕ形状に形成されている。
【０００３】
脚部材７５の左側のサイドフレーム７５ａには、脚部材７５を起立位置Ａにおいて固定するロック板７６が支軸７７を介して設けられている。ロック板７６は、支軸７７を中心に、下部が前方へ傾斜する前傾姿勢のロック位置Ｃと、下部が後方へ傾斜する後傾姿勢のロック解除位置Ｄとの間を回動自在である。引張りばね７８の一端が取付板７３に掛止されているとともに他端がロック板７６に掛止されている。
【０００４】
これによると、通常、利用者は、自転車の左側方において、右足を使って脚部材７５を跳ね上げ位置Ｂから起立位置Ａに回動させる。その後、利用者は右足でロック板７６を蹴ってロック解除位置Ｄからロック位置Ｃに回動させる。これにより、脚部材７５が起立位置Ａにおいて固定され、自転車７０の後部がスタンド７２によって支持される。
【０００５】
また、反対に、利用者が右足でロック板７６を蹴ってロック位置Ｃからロック解除位置Ｄに回動させることにより、脚部材７５が固定解除される。その後、利用者は、右足を起立位置Ａの脚部材７５の下端前側に掛け、自転車７０を前方に押し出しながら、脚部材７５を起立位置Ａから跳ね上げ位置Ｂに跳ね上げる。
【０００６】
尚、下記特許文献１には、ロック板の下端部分に、樹脂製のカバー部材を嵌着し、右足でロック板を蹴って操作する際、靴を傷付けないようにすることが記載されている。
【特許文献１】特開２００４−１８９１８０号公報
【発明の開示】
【発明が解決しようとする課題】
【０００７】
前記図１７に示したスタンド７２の脚部材７５を跳ね上げ位置Ｂから起立位置Ａに回動させる場合、図１８に示すように、右側の靴８０の内側面（左側面）の先端部分Ｅが脚部材７５の左側のサイドフレーム７５ａの下端部に圧接するため、靴８０の先端部分Ｅが傷付き易いといった課題を有している。
【０００８】
また、脚部材７５を起立位置Ａにした状態で、ロック板７６をロック位置Ｃからロック解除位置Ｄに回動させる場合、図１７の実線で示すように、右側の靴８０の外側面（右側面）の先端部分Ｆでロック板７６の下端部を後側へ蹴るため、靴８０の先端部分Ｆが傷付き易いといった課題を有している。或いは、右側の靴８０の靴底でロック板７６の下端部を後側へ蹴って、ロック板７６をロック解除位置Ｄに回動させることも可能であるが、この場合、靴底が後向きになるように右足を急な角度に曲げる必要があり、操作し難いといった課題を有している。
【０００９】
また、図１７の実線で示すように脚部材７５が起立位置Ａにあるとともにロック板７６がロック位置Ｃにある状態から仮想線で示すように脚部材７５を跳ね上げ位置Ｂに切換える場合、利用者は、右足でロック板７６をロック解除位置Ｄに切換える操作と右足を脚部材７５に掛けて脚部材７５を跳ね上げる操作とを、右足を踏み替えて２段階の動作で行っているため、操作に手間がかかるといった課題もある。
【００１０】
さらに、前記特許文献１に記載されたスタンドでは、右足でロック板を蹴った際の衝撃により、カバー部材がロック板の下端部分から脱落するといった課題を有する。また、靴が傷付くのを防止するためには、カバー部材が十分な柔軟性を有している必要があるが、カバー部材の柔軟性が不足していると、靴がカバー部材に当接した際の衝撃で傷付くといった課題がある。また、反対に、カバー部材が軟らか過ぎると、カバー部材が早期の内に磨耗したり損傷し易く、耐久性に劣るといった課題がある。
【００１１】
本発明は、靴を傷付けることなく操作することが可能であり、また、操作し易く、さらに、耐久性に優れた自転車用のスタンドを提供することを目的とする。
【課題を解決するための手段】
【００１２】
前記従来の課題を解決するために、本発明の自転車用のスタンドは、ロック板に、ロック解除用の踏みペダルが設けられ、踏みペダルに、ロック位置に切換えられた前傾姿勢のロック板よりも上を向く踏み面と、脚部材に対して当接離間自在な押し部材とが設けられ、踏み面の左右幅がロック板の下端部の幅よりも大きく形成され、起立位置の脚部材のロック板がロック位置からロック解除位置へ一方向に回動する際、踏みペダルの押し部材が脚部材に当接して脚部材を起立位置から跳ね上げ位置に回動する方向へ押すように構成されているものである。
【００１３】
これによると、脚部材を起立位置にした状態で、ロック板をロック位置からロック解除位置に回動させる場合、利用者が左右いずれか一方の靴の靴底で踏みペダルの踏み面を踏み込むことにより、ロック板がロック解除位置に回動して、脚部材が固定解除される。
【００１４】
このように靴底で踏みペダルの踏み面を踏み込むため、靴の側面を傷付けることなくロック板をロック位置からロック解除位置に切換えることができる。また、踏みペダルの踏み面はロック位置のロック板よりも上を向いており且つ踏み面の左右幅がロック板の下端部の幅よりも大きいため、靴底で踏みペダルの踏み面を踏み込む際、操作し易い。また、従来のようにロック板にカバー部材を嵌着する構成に比べて、ロック板に踏みペダルを設ける構成の方が耐久性に優れている。
【発明の効果】
【００１５】
以上のように本発明の自転車用のスタンドによれば、靴の側面を傷付けることなく操作することができ、操作もし易く、さらに、耐久性に優れている。
【発明を実施するための最良の形態】
【００１６】
本第１発明における自転車用のスタンドは、車体に設けられる取付板に、枢着軸を介して脚部材が設けられ、
脚部材は枢着軸を中心に起立位置と跳ね上げ位置との間を回動自在であり、
脚部材を起立位置において固定するロック板が支軸を介して脚部材に設けられ、
ロック板は、支軸を中心に、下部が前方へ傾斜する前傾姿勢のロック位置と、後方へ傾斜する後傾姿勢のロック解除位置との間を回動自在であり、
引張りばねの一端が取付板に取付けられているとともに他端がロック板に取付けられた自転車用のスタンドであって、
ロック板に、ロック解除用の踏みペダルが設けられ、
踏みペダルに、ロック位置に切換えられた前傾姿勢のロック板よりも上を向く踏み面と、脚部材に対して当接離間自在な押し部材とが設けられ、
踏み面の左右幅がロック板の下端部の幅よりも大きく形成され、
起立位置の脚部材のロック板がロック位置からロック解除位置へ一方向に回動する際、踏みペダルの押し部材が脚部材に当接して脚部材を起立位置から跳ね上げ位置に回動する方向へ押すように構成されているものである。
【００１７】
これによると、脚部材を起立位置にした状態で、ロック板をロック位置からロック解除位置に回動させる場合、利用者が左右いずれか一方の靴の靴底で踏みペダルの踏み面を踏み込むことにより、ロック板がロック解除位置に回動して、脚部材が固定解除される。
【００１８】
このように靴底で踏みペダルの踏み面を踏み込むため、靴の側面を傷付けることなくロック板をロック位置からロック解除位置に切換えることができる。また、踏みペダルの踏み面はロック位置のロック板よりも上を向いており且つ踏み面の左右幅がロック板の下端部の幅よりも大きいため、靴底で踏みペダルの踏み面を踏み込む際、非常に操作し易い。また、従来のようにロック板にカバー部材を嵌着した構成に比べて、ロック板に踏みペダルを設ける構成の方が耐久性に優れている。
【００２０】
また、脚部材を起立位置にした状態で、利用者が靴底で踏みペダルの踏み面を踏み込んでロック板をロック位置からロック解除位置へ一方向に回動させた際、踏みペダルの押し部材が一方向から脚部材に当接する。このとき、利用者が自転車を前方へ押し出すことにより、脚部材が、押し部材によって一方向へ押されながらロック板と共に一方向に回動し、起立位置から跳ね上げ位置に跳ね上がる。したがって、利用者は、靴底で踏みペダルの踏み面を踏み込んだままの状態で、足を踏み替えることなく、脚部材を跳ね上げ位置に跳ね上げることができる。これにより、ロック板をロック解除位置に切換える操作と脚部材を跳ね上げ位置に切換える操作との２種類の操作が一つの動作で行え、操作の手間を軽減することができる。
【００２１】
本第２発明における自転車用のスタンドは、脚部材が跳ね上げ位置から起立位置に回動した際、ロック板をロック位置に切換えるオートロック機構が備えられているものである。
【００２２】
これによると、利用者が脚部材を跳ね上げ位置から起立位置に回動させた際、オートロック機構によって、ロック板がロック位置に自動的に切換えられる。これにより、利用者がロック板を足で蹴ってロック位置に切換える操作を省略することができる。
【００２３】
本第３発明における自転車用のスタンドは、脚部材は、左右一対のサイドフレームと、これら両サイドフレームの遊端部間に連設された連設フレームとで、Ｕ形状に形成され、
起立位置の脚部材は、少なくともいずれか一方のサイドフレームの下端部に、連設フレームの端部から前方へ屈曲した屈曲部と、屈曲部の前端から上向きに立ち上がった立ち上がり部とを有し、
立ち上がり部は連設フレームの端部よりも前方に位置し、
連設フレームの端部から立ち上がり部までの間を靴先に対する逃げスペースとしているものである。
【００２４】
これによると、脚部材を跳ね上げ位置から起立位置に回動させる場合、利用者は、左右いずれか一方の靴底で、跳ね上げ位置の脚部材の連設フレームの一端部（すなわち屈曲部の後端部）を上方から踏み込む。これにより、脚部材が跳ね上げ位置から下向きに回動して起立位置に達する。この脚部材の回動にともなって、一方の靴先が逃げスペース内に入り込んで、連設フレームの端部と屈曲部とを靴底で踏んだ状態となり、立ち上がり部が一方の靴の内側面の先端部分に対して前方へ逃げた位置となる。このため、起立位置において、一方の靴の内側面の先端部分が立ち上がり部の後方に離間し、一方の靴の内側面の先端部分が一方のサイドフレームの立ち上がり部によって傷付けられることを防止することができる。
【００２５】
以下、本発明の実施の形態について、図面を参照しながら説明する。
（実施の形態１）
先ず、実施の形態１を図１〜図６に基いて説明する。
【００２６】
図１〜図３に示すように、１は自転車２の車体３の後部に備えられた両脚型のスタンドである。スタンド１は、車体３のチェーンステー４の後端に取付けられる左右一対の取付板６と、両取付板６にそれぞれ枢着軸７を介して設けられた脚部材８とを有している。
【００２７】
脚部材８は、両枢着軸７を中心に起立位置Ａ（図２参照）と跳ね上げ位置Ｂ（図５参照）との間を回動自在であり、左右一対の棒状のサイドフレーム８ａ，８ｂと、これら両サイドフレーム８ａ，８ｂの遊端部間に連設された連設フレーム８ｃとで、Ｕ形状に形成されている。
【００２８】
脚部材８の左側（一方）のサイドフレーム８ａには、脚部材８を起立位置Ａにおいて固定するロック板９が支軸１０を介して設けられている。ロック板９は、支軸１０を中心に、下部が前方へ傾斜する前傾姿勢のロック位置Ｃ（図２参照）と、下部が後方へ傾斜する後傾姿勢のロック解除位置Ｄ（図４参照）との間を回動自在である。ロック板９の一端部の裏側には係止片１１が設けられており、左側（一方）の取付板６には凹状の被係止部１２が形成されている。図２に示すように、ロック板９がロック位置Ｃに回動した際、係止片１１が被係止部１２に係止することによって、脚部材８が起立位置Ａに固定される。尚、ロック板９がロック位置Ｃからロック解除位置Ｄに回動する方向と、脚部材８が起立位置Ａから跳ね上げ位置Ｂに回動する方向とは、同じ方向である。
【００２９】
両取付板６の後部上端の裏側にはストッパ片１９（図２参照）が形成されており、図５に示すように、脚部材８が跳ね上げ位置Ｂまで回動した際、脚部材８の両サイドフレーム８ａ，８ｂが下方からストッパ片１９に当接することによって、脚部材８の回動が跳ね上げ位置Ｂで停止される。
【００３０】
左側（一方）の取付板６とロック板９の他端部とにはそれぞれ取付片１４，１５が設けられており、引張りばね１６の一端が一方の取付片１４に掛止されているとともに他端が他方の取付片１５に掛止されている。
【００３１】
また、スタンド１には、脚部材８が跳ね上げ位置Ｂから起立位置Ａに回動した際、ロック板９をロック位置Ｃに切換えるオートロック機構２２が備えられている。オートロック機構２２は、ロック板９の一端部の裏側に突設されたピン２３と、左側の取付板６の後端部に形成されたカム面２４とで構成されている。脚部材８が跳ね上げ位置Ｂから起立位置Ａに回動する際、図６（ａ）（ｂ）に示すように、ピン２３がカム面２４に摺接しながら案内されることで、ロック板９が自動的に前傾姿勢になるように構成されている。尚、図２に示すように、脚部材８が起立位置Ａにある場合、ロック板９がロック位置Ｃまで回動すると、ピン２３はカム面２４から下方に離間し、また、図４に示すように、ロック板９がロック解除位置Ｄまで回動すると、ピン２３は下方からカム面２４に当接する。
【００３２】
ロック板９の他端部には、ロック解除用の踏みペダル２６が設けられている。踏みペダル２６には、図２に示すようにロック位置Ｃに切換えられたロック板９よりも上を向く踏み面２６ａが形成されている。すなわち、脚部材８が起立位置Ａにある状態で、地面に対するロック位置Ｃのロック板９の角度をＧ１とし、この時の踏み面２６ａの地面に対する角度をＧ２とすると、角度Ｇ２＜角度Ｇ１の関係が成り立つように構成されている。また、図３に示すように、ロック板９の下端部（他端部）の左右方向の幅をＷ１とし、踏み面２６ａの左右方向の幅をＷ２とすると、幅Ｗ２＞幅Ｗ１の関係が成り立つように構成されている。尚、踏み面２６ａには滑り止め用の複数本の溝が形成されている。
【００３３】
また、図３に示すように、右側（他方）の取付板６と脚部材８の右側のサイドフレーム８ｂとにはそれぞれ取付片１７，１８が設けられており、引張りばね２１の一端が一方の取付片１７に掛止されているとともに他端が他方の取付片１８に掛止されている。
【００３４】
以下、上記構成における作用を説明する。
図２に示すように、脚部材８を跳ね上げ位置Ｂから起立位置Ａに回動させることによって、自転車２の後部がスタンド１によって支持される。この際、図６（ａ）（ｂ）に示すように、ピン２３がカム面２４に摺接しながら案内されることより、ロック板９が自動的に前傾姿勢になるように回動する。これによって、ロック板９が自動的にロック位置Ｃに切換えられるため、利用者がロック板９を足で蹴ってロック位置Ｃに切換える操作を省略することができる。
【００３５】
前記のようにして脚部材８を起立位置Ａにした後、ロック板９をロック位置Ｃからロック解除位置Ｄに回動させる場合、図２に示すように、利用者は、自転車２の左側方において、右靴３０の靴底３０ａで踏みペダル２６の踏み面２６ａを踏み込む。これにより、図４に示すように、ロック板９がロック解除位置Ｄに回動して、脚部材８が固定解除される。
【００３６】
このように靴底３０ａで踏みペダル２６の踏み面２６ａを踏み込むため、右靴３０の外側面３０ｂ（右側面）を傷付けることなく、ロック板９をロック位置Ｃからロック解除位置Ｄに切換えることができる。
【００３７】
また、図２に示すように踏み面２６ａはロック位置Ｃのロック板９よりも上を向いており且つ図３に示すように踏み面２６ａの幅Ｗ２がロック板９の下端部の幅Ｗ１よりも大きいため、靴底３０ａで踏み面２６ａを踏み込む際、非常に操作し易い。また、従来のようなロック板にカバー部材を嵌着した構成に比べて、ロック板９に踏みペダル２６を設ける構成の方が耐久性に優れている。
【００３８】
尚、前記のようにしてロック板９をロック位置Ｃからロック解除位置Ｄに回動させた際、図４に示すように、ピン２３が下方からカム面２４に当接し、ロック解除位置Ｄにおいてロック板９の回動が停止する。このようにして脚部材８を固定解除した後、利用者は、右足を起立位置Ａの脚部材８の下端前側に掛け、自転車２を前方に押し出しながら、脚部材８を起立位置Ａから跳ね上げ位置Ｂに跳ね上げる。
【００３９】
前記実施の形態１では、スタンド１にオートロック機構２２を備えたが、備えていないものであってもよい。
（実施の形態２）
次に、実施の形態２を図７〜図９に基いて説明する。
【００４０】
踏みペダル２６の裏側には、脚部材８の左側のサイドフレーム８ａに対して当接離間自在な押し部材３２が設けられている。起立位置Ａの脚部材８のロック板９がロック位置Ｃからロック解除位置Ｄへ一方向Ｈに回動する際、前記押し部材３２は一方向Ｈから脚部材８の左側のサイドフレーム８ａに当接して脚部材８を一方向Ｈへ押すように構成されている。
【００４１】
これによると、図７に示すように脚部材８を起立位置Ａにした状態で、利用者が靴底３０ａで踏みペダル２６の踏み面２６ａを踏み込んでロック板９をロック位置Ｃからロック解除位置Ｄへ一方向Ｈに回動させた際、図９に示すように、ピン２３がカム面２４に当接するとともに、押し部材３２が一方向Ｈから脚部材８のサイドフレーム８ａに当接する。このとき、利用者が自転車２を前方へ押し出すことにより、脚部材８が、押し部材３２によって一方向Ｈへ押されながらロック板９と共に一方向Ｈに回動し、起立位置Ａから跳ね上げ位置Ｂに跳ね上がる。
【００４２】
したがって、利用者は、靴底３０ａで踏みペダル２６の踏み面２６ａを踏み込んだままの状態で、足を踏み替えることなく、脚部材８を跳ね上げ位置Ｂに跳ね上げることができる。これにより、ロック板９をロック解除位置Ｄに切換える操作と脚部材８を跳ね上げ位置Ｂに切換える操作との２種類の操作が一つの動作で行え、操作の手間を軽減することができる。
【００４３】
前記実施の形態１および実施の形態２では、ロック板９を、脚部材８の左側のサイドフレーム８ａに設けているが、右側のサイドフレーム８ｂに設けてもよい。また、両方のサイドフレーム８ａ，８ｂに設けてもよい。
【００４４】
（実施の形態３）
次に、実施の形態３を図１０〜図１５に基いて説明する。
図１０〜図１２に示すように、起立位置Ａの脚部材８は、左側のサイドフレーム８ａの下端部に、連設フレーム８ｃの左端部から前方へ屈曲した屈曲部８ｄと、屈曲部８ｄの前端から上向きに立ち上がった立ち上がり部８ｅと、立ち上がり部８ｅの上部から後方上向きに傾斜した傾斜部８ｆとを有している。立ち上がり部８ｅは連設フレーム８ｃの左端部よりも前方に位置している。また、連設フレーム８ｃの左端部から立ち上がり部８ｅまでの間を靴先３０ｃに対する逃げスペースＳとしている。
これによると、脚部材８を跳ね上げ位置Ｂ（図１３参照）から起立位置Ａ（図１０参照）に回動させる場合、図１４（ａ）に示すように、利用者は、自転車２の左側方において右靴３０の靴底３０ａで、跳ね上げ位置Ｂの脚部材８の連設フレーム８ｃの左端部（すなわち屈曲部８ｄの後端部）を上方から踏み込む。これにより、図１４（ｂ）（ｃ）に示すように、脚部材８が跳ね上げ位置Ｂから下向きに回動して起立位置Ａに達する。この脚部材８の回動にともなって、右靴３０の靴先３０ｃが逃げスペースＳ内に入り込んで、図１４（ｄ）に示すように、連設フレーム８ｃの左端部と屈曲部８ｄとを靴底３０ａで踏んだ状態となり、立ち上がり部８ｅが右靴３０の内側面３０ｄ（左側面）の先端部分に対して前方へ逃げた位置となる。このため、図１４（ｄ），図１５に示すように、起立位置Ａにおいて、右靴３０の内側面３０ｄの先端部分が立ち上がり部８ｅの後方に離間し、右靴３０の内側面３０ｄの先端部分が左側のサイドフレーム８ａの立ち上がり部８ｅによって傷付けられることを防止することができる。
【００４５】
（実施の形態４）
実施の形態４では、図１６に示すように、ロック板９に踏みペダル２６が設けられているとともに、脚部材８の左側のサイドフレーム８ａに、屈曲部８ｄと立ち上がり部８ｅと傾斜部８ｄとが形成されている。
【００４６】
さらに、実施の形態４のものに、図７で示した押し部材３２を設けてもよい。
前記実施の形態３および実施の形態４では、屈曲部８ｄと立ち上がり部８ｅと傾斜部８ｄとを、脚部材８の左側のサイドフレーム８ａに形成しているが、右側のサイドフレーム８ｂに形成してもよい。また、両方のサイドフレーム８ａ，８ｂに形成してもよい。
【００４７】
前記各実施の形態では、Ｕ形状の脚部材８を備えた両脚型のスタンド１を挙げたが、一本の斜めの棒材からなる脚部材を備えた一本スタンドであってもよい。
【産業上の利用可能性】
【００４８】
本発明は自転車に備えられるスタンドであり、両脚型と一本型のいずれのスタンドにも適用される。
【図面の簡単な説明】
【００４９】
【図１】本発明の実施の形態１におけるスタンドを備えた自転車の側面図
【図２】同、スタンドを起立位置にしロック板をロック位置にした際の側面図
【図３】図２におけるＸ−Ｘ矢視図
【図４】同、スタンドを起立位置にしロック板をロック解除位置にした際の側面図
【図５】同、スタンドを跳ね上げ位置にした際の側面図
【図６】同、スタンドを跳ね上げ位置から起立位置に回動させる途中の状態を示す側面図
【図７】本発明の実施の形態２におけるスタンドを起立位置にしロック板をロック位置にした際の側面図
【図８】図７におけるＸ−Ｘ矢視図
【図９】同、スタンドを起立位置にしロック板をロック解除位置にした際の側面図
【図１０】本発明の実施の形態３におけるスタンドを起立位置にしロック板をロック位置にした際の側面図
【図１１】図１０におけるＸ−Ｘ矢視図
【図１２】同、スタンドを左側後方より見た斜視図
【図１３】同、スタンドを跳ね上げ位置にした際の側面図
【図１４】同、スタンドを跳ね上げ位置から起立位置に回動させる際の靴と脚部材との動きを示す側面図
【図１５】図１４（ｄ）におけるＸ−Ｘ矢視図
【図１６】本発明の実施の形態４におけるスタンドを起立位置にしロック板をロック位置にした際の側面図
【図１７】従来のスタンドを左側後方より見た斜視図
【図１８】図１７におけるＸ−Ｘ矢視図
【符号の説明】
【００５０】
１  スタンド
２  自転車
３  車体
６  取付板
７  枢着軸
８  脚部材
８ａ，８ｂ  サイドフレーム
８ｃ  連設フレーム
８ｄ  屈曲部
８ｅ  立ち上がり部
９  ロック板
１０  支軸
２１  引張りばね
２２  オートロック機構
２６  踏みペダル
２６ａ  踏み面
３０ｃ  靴先
３２  押し部材
Ａ  起立位置
Ｂ  跳ね上げ位置
Ｃ  ロック位置
Ｄ  ロック解除位置
Ｈ  一方向
Ｓ  逃げスペース
Ｗ１，Ｗ２  幅
【図１】
0004781155.tif 000002
【図２】
0004781155.tif 000003
【図３】
0004781155.tif 000004
【図４】
0004781155.tif 000005
【図５】
0004781155.tif 000006
【図６】
0004781155.tif 000007
【図７】
0004781155.tif 000008
【図８】
0004781155.tif 000009
【図９】
0004781155.tif 000010
【図１０】
0004781155.tif 000011
【図１１】
0004781155.tif 000012
【図１２】
0004781155.tif 000013
【図１３】
0004781155.tif 000014
【図１４】
0004781155.tif 000015
【図１５】
0004781155.tif 000016
【図１６】
0004781155.tif 000017
【図１７】
0004781155.tif 000018
【図１８】
0004781155.tif 000019